(57)【要約】      （修正有）【課題】納棺前に、各種処置を施して、遺体を良好な状態で納棺する棺を提供する。【解決手段】防止部材が、通気性のない樹脂素材からなる帯状のラップ部材６，７であり、前記ラップ部材が、前記遺体の少なくとも一部の周囲に、前記遺体との間に隙間ができず且つ幅方向に一部重なるように前記遺体に沿って複数回巻き付けられていることが好ましい。これによると、ラップ部材６，７によって遺体からの腐敗臭を抑制する共に、腐敗が進行して遺体の損傷が進むのを抑制できる。【選択図】図５
0003156461.tif 000002
【実用新案登録請求の範囲】
【請求項１】
体液や腐敗臭が流出するのを防止する防止部材が表皮及び体内の少なくともいずれかに施された遺体が収容されていることを特徴とする棺。
【請求項２】
前記防止部材が、通気性のない樹脂素材からなる帯状のラップ部材であり、
前記ラップ部材が、前記遺体の少なくとも一部の周囲に、前記遺体との間に隙間ができず且つ幅方向に一部重なるように前記遺体に沿って複数回巻き付けられていることを特徴とする請求項１に記載の棺。
【請求項３】
前記遺体に、内部のつゆが出された水疱の上から貼り付けられたテープ部材と、さらにその上から巻き付けられた前記ラップ部材とが施されていることを特徴とする請求項２に記載の棺。
【請求項４】
前記防止部材が複数本の細長い脱脂綿であり、
前記複数本の細長い脱脂綿が前記遺体の口腔から咽頭に向かって挿入されており、且つ、口蓋垂及び喉頭蓋の間を通して咽頭にきつく詰め込まれることにより、咽頭が封鎖されていることを特徴とする請求項１〜３のいずれか１項に記載の棺。
【請求項５】
前記複数本の細長い脱脂綿が挿入される際、前記遺体の下顎の後方が下方向に圧迫され、下顎頭が舌骨隆起の下方へと移動されて前記舌骨隆起を乗り越えることで、前記下顎が舌骨に嵌め込まれていることを特徴とする請求項４に記載の棺。
【請求項６】
前記防止部材が縫合糸であり、
前記遺体が、表皮に形成された注射針穴の近傍を跨ぎ且つ互いに交差する２本の前記縫合糸によって縫合されていることを特徴とする請求項１〜５のいずれか１項に記載の棺。
【請求項７】
前記防止部材が縫合糸及びテープ部材であり、
前記遺体の胴体に形成された裂け目が前記縫合糸で縫合され、さらにその上から前記テープ部材が貼り付けられていることを特徴とする請求項１〜６のいずれか１項に記載の棺。
【請求項８】
前記防止部材が包帯であり、
前記遺体の頭部、腕部及び脚部の少なくともいずれかが損失されており、その損失部分に応じた模型が損失箇所に接続され、その接続部に前記包帯が巻かれていることを特徴とする請求項１〜７のいずれか１項に記載の棺。
【請求項９】
腐敗抑制のための冷却材がさらに収容されていることを特徴とする請求項１〜８のいずれか１項に記載の棺。
【考案の詳細な説明】
【技術分野】
【０００１】
本考案は、遺体がおさめられた棺に関する。
【背景技術】
【０００２】
遺体を納棺する際は、棺内に遺体を寝かせると共に、棺内にドライアイスを収容して、遺体の腐敗を遅らせる措置を取る。これにより、故人を見送る者が遺体を見やすくなる。さらに、特許文献１のように、納棺前に遺体の表情を復元することにより、遺体を見やすくする。
【先行技術文献】
【特許文献】
【０００３】
【特許文献１】特願２００７−３９４０１号公報
【考案の概要】
【考案が解決しようとする課題】
【０００４】
特許文献１のように、納棺前に遺体に何らかの処置を施して遺体の状態を改善することが好ましい。しかし、遺体の状態によっては、容易には遺体の状態を改善することができない場合もある。
【０００５】
本考案の目的は、遺体が良好な状態で納棺された棺を提供することにある。
【課題を解決するための手段】
【０００６】
本考案の棺は、体液や腐敗臭が流出するのを防止する防止部材が表皮及び体内の少なくともいずれかに施された遺体が収容されている。本考案によると、遺体に防止部材が施されていることで、遺族らが故人を見送る際、遺体を見たり遺体に触れたりしやすくなる。なお、棺内にはさらに、腐敗抑制のための冷却材が収容されているとよい。
【０００７】
また、本考案においては、前記防止部材が、通気性のない樹脂素材からなる帯状のラップ部材であり、前記ラップ部材が、前記遺体の少なくとも一部の周囲に、前記遺体との間に隙間ができず且つ幅方向に一部重なるように前記遺体に沿って複数回巻き付けられていることが好ましい。これによると、ラップ部材によって遺体からの腐敗臭を抑制する共に、腐敗が進行して遺体の損傷が進むのを抑制できる。
【０００８】
また、本考案においては、前記遺体に、内部のつゆが出された水疱の上から貼り付けられたテープ部材と、さらにその上から巻き付けられた前記ラップ部材とが施されていることが好ましい。これによると、テープ部材とラップ部材により、水疱を破って、つゆをだして液体が漏れ出したりして皮膚感染が進むのを抑制できる。
【０００９】
また、本考案においては、前記防止部材が複数本の細長い脱脂綿であり、前記複数本の細長い脱脂綿が前記遺体の口腔から咽頭に向かって挿入されており、且つ、口蓋垂及び喉頭蓋の間を通して咽頭にきつく詰め込まれることにより、咽頭が封鎖されていることが好ましい。これによると、食道や胃腸側から出血した血液や腐敗臭が口や鼻から漏れ出るのを防止できる。
【００１０】
また、本考案においては、前記複数本の細長い脱脂綿が挿入される際、前記遺体の下顎の後方が下方向に圧迫され、下顎頭が舌骨隆起の下方へと移動されて前記舌骨隆起を乗り越えることで、前記下顎が舌骨に嵌め込まれていることが好ましい。これによると、下顎を舌骨に戻すことで、遺体の口を閉めることができる。
【００１１】
また、本考案においては、前記防止部材が縫合糸であり、前記遺体が、表皮に形成された注射針穴の近傍を跨ぎ且つ互いに交差する２本の前記縫合糸によって縫合されていることが好ましい。これによると、注射針穴を確実に閉じることができる。
【００１２】
また、本考案においては、前記防止部材が縫合糸及びテープ部材であり、前記遺体の胴体に形成された裂け目が前記縫合糸で縫合され、さらにその上から前記テープ部材が貼り付けられていることが好ましい。これによると、内部器官の腐敗を抑制できると共に、遺体の外見を改善することができる。
【００１３】
また、本考案においては、前記防止部材が包帯であり、前記遺体の頭部、腕部及び脚部の少なくともいずれかが損失されており、その損失部分に応じた模型が損失箇所に接続され、その接続部に前記包帯が巻かれていることが好ましい。これによると、遺体の外見を改善することができる。
【図面の簡単な説明】
【００１４】
【図１】遺体の納棺までの概略的な流れを示す工程図である。
【図２】口腔から咽頭にかけての人体の縦断面図である。
【図３】棺内に収容された遺体とドライアイスの配置を示す棺の平面図である。
【図４】図４（ａ）は、注射の針穴を縫合した後の縫合箇所の平面図である。図４（ｂ）は、縫合箇所の縦断面図である。
【図５】ラップ部材が巻かれた遺体の上半身の正面図である。
【図６】図６（ａ）は、顎が外れているときの頭蓋下部の側面図である。図６（ｂ）は、顎が関節にはめ込まれたときの頭蓋下部の側面図である。
【図７】一部欠損した遺体と欠損部分の復元方法を示す遺体の正面図である。
【図８】眼窩及び眼球周辺の縦断面図である。
【図９】舌が飛び出しているときの遺体の口周辺の正面図である。
【考案を実施するための形態】
【００１５】
以下、本考案の好適な一実施形態に係る納棺方法について説明する。本考案は以下の納棺方法によって納棺された遺体と棺に対応する。図１は、遺体の納棺を完了するまでの概略的な流れを示す工程図である。まず、遺体を納棺する準備工程として、遺体の修復、湯灌、及び遺体に仏衣を着させる工程を実施する。
【００１６】
遺体の修復について説明する。遺体はさまざまな原因により損傷していることがある。また、それほど損傷していないように見える遺体も病気や事故などによって損傷しやすくなっている場合があり、このような場合に遺体を放置すると腐敗が進み、損傷してくる。そこで、納棺前に、遺体の損傷を修復したり、遺体の損傷が進行するのを抑制する処置を実施する。
【００１７】
例えば、病院などの処置により、遺体の鼻腔や口腔に綿が詰めてある場合には、その綿を取り出す。遺体から出血して取り出した綿に血液がついていたり、遺体の体内からの汚物が付いていたりする場合には、アルコール消毒などに用いられる脱脂綿等で鼻腔内や口腔内を拭き、汚れがなくなるまで脱脂綿をかえていく。
【００１８】
次に、脱脂綿を細くちぎり、長さ１０〜１５センチメートルで幅３センチメートル程度の細長い布状にしたものを、口腔から咽頭にかけて複数本挿入する。図２は、口腔から咽頭にかけての人体の縦断面図である。図２に示すように、脱脂綿１を、口腔内２１から咽頭２４まで挿入し、口蓋垂２２及び喉頭蓋２３の間を通す。このようにできるだけ多数の脱脂綿１をきつく詰め込んで、咽頭２４の例えば喉頭蓋２３の付近を閉鎖する。これにより、食道や気管側から矢印Ａ方向に出血した血液や腐敗臭が上ってくるのを封止している。また、口腔からと同様に、鼻腔からも、複数の脱脂綿１を矢印Ｂに沿って咽頭２４まで達するように挿入する。なお、脱脂綿１は、口腔及び鼻腔の両方に挿入した方が好ましいが、一方のみで食道や胃腸側から出血や腐敗臭が上がってくるのを脱脂綿で封止できればそれでもよい。なお、詰め物としては脱脂綿を利用するのが好ましい。
【００１９】
次に、遺体に湯灌を施す。湯灌では、遺体を仰向けに寝かせた状態でシェーバー等で顔剃りをした後、遺体の全身を清拭する。顔剃りの際は、顔表面を傷つけないように気をつける。遺体を傷つけると、血液の凝固作用が働かないため、出血が止まらなくなるおそれがあるからである。仰向けの状態で遺体を清拭した後、遺体を横臥させて背中を拭く。
【００２０】
遺体の全身を清拭したら、次に、遺体に仏衣を着せる。上記の通り、遺体を横臥させた状態で、まず腰巻を当てる。そして、上衣を襟から合わせ、遺体を仰向けに戻した後、腰巻を巻いて縦縛りする。さらに、足袋を履かせ、宗派によっては頭陀袋、手甲、脚絆をまとわせて、髪を整える。その後、故人の親族に清拭していただく。
【００２１】
次に、図３に示すように遺体を棺３の内部に納める。遺体は、図３に示すように仰向けにし、肘関節をまげて手を遺体の腹部上に配置する。そして、ドライアイス２を頭部３１の両側に置く。また、胸部上に一本を横向きに置くと共に、腹部上に縦に一本置き、平面視で「Ｔ」字型になるようにドライアイス２を配置する。遺体の両手は、腹部上のドライアイス２の上に置く。両手には布等を巻きつけることで、ドライアイス２に直接触れないように保護することが好ましい。前腕３３Ｒ及び３３Ｌを挟む位置に置く。また、腰部３２の両側にも、前腕３３Ｒや３３Ｌから一こぶし分ほど空けて置く。このように前腕から空けて置くのは、前腕の肘が凍り付いて動かしにくくなるのを防ぐためである。以上のようにドライアイス２を設置することで、遺体の腐敗が抑制される。
【００２２】
以上、納棺の際の一連の工程を概略的に説明したが、遺体を納棺する準備工程としては、遺体の状態に応じて遺体の損傷を修復したり、遺体の損傷が進行するのを抑制したりする種々の処置を施すことが好ましい。以下、このような遺体の損傷を修復したり、遺体の損傷が進行するのを抑制したりするその他の工程について順に説明する。
【００２３】
（点滴痕等がある場合）
遺体に点滴などによる注射の針穴が残っていることがあり、針穴から出血している場合がある。出血を放置すると棺に収容した際に棺内が血液で汚染されたり腐敗が進行しやすくなったりするおそれがある。そこで、縫合糸を用いて針穴を縫合して出血を止めることが好ましい。このとき、図４（ａ）の縫合糸４及び５のように、互いに縫合糸が交差するように針穴４１の近傍を縫合することがよい。
【００２４】
まず、図４（ｂ）に示すように、縫合糸４を針穴４１を跨ぐように皮膚表面４２に刺し通し、縫合糸４の両端４ａを結びつける。これにより、針穴４１の周囲の皮膚が縛り付けられて針穴４１が塞がれる。しかし、このように１回縫合するだけでは、縫合糸４が緩んでいたりして針穴４１が完全に塞ぎ切れず、出血を完全に止められない。そこで、縫合糸４に対して交差するように縫合糸５を同様に縫い付ける。これにより、縫合糸４が緩んでいても縫合糸５によってよりきつく縫い付けられ、針穴４１がより確実に塞がれる。その上に、絆創膏等を貼り付けると縫合跡が目立たなくてよい。
【００２５】
（水疱ができている場合）
遺体を放置すると表皮下に水疱が生じることがある。このような水疱が破れると液体が漏れ出て細菌感染が生じやすくなるので、以下の処置を行うことが好ましい。まず、水疱ができていると水泡をやぶってつゆをだしてからに絆創膏（テープ部材）を貼る。そして、絆創膏の上から、図５に示すようにラップ部材６やラップ部材７を巻き付ける。ラップ部材６や７は、塩化ビニール樹脂などの極めて通気性が低い素材からなる帯状の部材である。このとき、ラップ部材６や７は、重複部分６ａや７ａが生じるように、少し重ねて巻く。そして、できるだけ皮膚や絆創膏との間に隙間ができないようにきつく巻き付けることが好ましい。腕に巻くときは手から脇に向かって巻き、脚に巻くときは足から脚の付け根に向かって巻いていく。ラップ部材６や７を巻きつけた後は、胴体であれば晒し布をラップ部材６の上から巻きつけ、腕部や脚部の場合は包帯をラップ部材の上から巻き付ける。このように、水疱ができた箇所はつゆをだしてからラップ部材を巻きつけることで、水疱の液体が漏れ出しにくく、皮膚感染しにくくなる。また、腐敗臭がもれにくく、腐敗も進みにくくなる。
【００２６】
なお、ラップ部材の素材としては、晒し布や包帯に比べて極めて通気性の低いものであれば塩化ビニール樹脂以外からなるものであってもよい。例えば、ポリエステルやナイロン樹脂などからなるものであってもよいし、耐久性の高い紙製のものであってもよい。
【００２７】
（顎が外れて口が開いている場合）
遺体の下顎が外れて口が開いている場合には以下の処置を行う。脱脂綿を細くちぎり、幅４センチメートル程度にしたものを複数枚用意し、そのちぎった脱脂綿を口腔から咽頭に向かって挿入していく。複数枚の脱脂綿をこのように詰めていくことによって、下顎の後方を下方向に圧迫する。このとき、図６（ａ）に示すように、下顎骨５１が矢印Ｃに沿って下方に沈むように移動する。そして、さらに脱脂綿を詰めていくと、下顎窩５３から前方へと外れていた下顎頭５２が、矢印Ｄに沿って舌骨隆起５４の下方へと移動する。下顎頭５２が完全に舌骨隆起５４を乗り越えると、図６（ｂ）の矢印Ｅに沿って下顎頭５２が下方から下顎窩５３に嵌め込まれる。これにより、下顎が元の位置におさまり、口が閉まる。下顎が舌骨から外れて遺体の口が開いている場合、下顎を外部から押さえつけて口を閉じさせることは非常に困難である。このような場合、上記の処置によると、口腔から咽頭に向かって脱脂綿を詰めていくことで、容易に遺体の口を閉じさせることができる。
【００２８】
（頭部に裂傷等があり出血している場合）
事故などにより頭部に裂傷等が生じ、出血している場合には、以下の処置を行う。まず、裂傷等の箇所の頭髪をそり、裂傷等を縫合する。そして、縫合の上から絆創膏を貼る。頭部の損傷が重症の場合には、出血や体脂肪が流れ出すのを防ぐため、塩化ビニール樹脂等の素材からなるラップ部材を頭部の損傷箇所に巻き付ける。そして、ラップ部材の上から包帯を巻きつけ、さらにその上に包帯を固定するためのネットを被せる。ネットは、頭部を保護するために一般に用いられるネット包袋等を使用してよい。
【００２９】
（臓器等が飛び出している場合）
胴体の一部が切れて臓器等の内部器官がはみ出している場合には、その器官を体内に戻し、胴体の裂傷部を縫合して、その上から絆創膏を貼る。
【００３０】
（火傷がある場合）
遺体に治癒していない火傷の跡がある場合には、そこから臭気や体液の漏れが生じるため、水疱が生じている場合と同様にラップ部材を胴体、腕、脚に巻きつけることによって臭気や体液の漏れを抑制する。また、ラップ部材を巻きつけた後は、胴体であればラップ部材の上から晒し布を、腕や脚の場合にはラップ部材の上から包帯を巻き付ける。
【００３１】
（頭部等が欠損している場合）
事故などで頭部、腕部、脚部などが欠損している場合は、欠損部ごとに復元する。頭部が欠損している場合は、紙などを頭の大きさに丸めて図７に示す模型頭部８を作り、頭部の位置に配置する。そして、模型頭部８の周囲を脱脂綿９で包み、その上から頸部にかけて包帯を巻いていく。これにより、模型頭部８と頸部とを接続する。
【００３２】
腕部が欠損している場合は、欠損部分を円筒形の紙筒などを用いた模型腕部１０ａ及び１０ｂなどで補う。前腕に相当する模型腕部１０ｂは、上腕に相当する模型腕部１０ａから約９０度に曲げ、遺体を納棺する際の腕の位置に合わせて配置する。そして、模型腕部１０ａ及び１０ｂを脱脂綿１１ａ及び１１ｂで包み、その上から腕部の付け根にかけて包帯を巻いていく。これにより、模型腕部１０ａ及び１０ｂを腕部の損失箇所に接続する。前腕のみ欠損している場合には模型腕部１０ｂのみを用いるなど、欠損の状態に応じて適宜模型腕部の長さや形状を調整する。
【００３３】
脚部が欠損している場合は、欠損部分を円筒形の紙筒などを用いた模型脚部１２で補い、綿布１３で覆う。また、足首から先に相当する部分は、脱脂綿１３に脱脂綿１４を、模型脚部１２との間の角度が足首の角度に相当する約１００度になるように継ぎ足す。そして、さらにその上から、つま先から股関節に向かって包帯を巻いていく。これにより、模型脚部１２を損失箇所に接続する。
【００３４】
（眼球が飛び出している場合）
遺体の眼球が眼窩から飛び出している場合には、図８（ａ）に示すように眼球６１を眼窩６２内へと戻す。このとき、眼球６１の後方へと延びる筋肉６３や視神経６４を、眼窩６２の後部Ｒへと適切に納めなければならない。例えば、図８（ｂ）に示すように、筋肉６３や視神経６４が眼窩６２の後部Ｒでちぢれて詰まったりすると、眼球６１が眼窩６２から前方にはみ出てしまい、遺体のまぶたを閉じることができなくなるからである。
【００３５】
（舌をかみこんでいる場合）
遺体の口から舌が飛び出ており、その舌を上下の歯が強くかみこんでいる場合には、まず、下顎を動かして舌と歯との間に隙間を作る。そして、図９に示すように、ピンセット１５の先に脱脂綿１６を挟み、脱脂綿１６を舌に当てて、舌が歯で傷つかないように舌を口の中へと押し戻す。このとき、上記の通り細長くちぎった脱脂綿１をピンセット１５の先に挟むことで、舌を口の中へと納めた後、脱脂綿１をそのまま口腔内から咽頭へ向かって挿入してもよい。
【００３６】
以上説明したように、本実施形態の遺体と棺においては、遺体を納棺する前の準備工程として、遺体にラップ部材を巻きつけて腐敗の進行や腐敗臭を抑制したり、遺体からの出血を抑制したり、舌や眼球がはみ出ている場合にはこれらを元の位置に戻し、顎を舌骨に嵌めたりする。このように、準備工程において遺体の損傷を修復したり、遺体の損傷が進行するのを抑制したりする処置を取るので、遺族らが故人を見送る際、遺体を見たり遺体に触れたりしやすくなる。
【符号の説明】
【００３７】
１        脱脂綿
２        ドライアイス
３        棺
４        縫合糸
５        縫合糸
６        ラップ部材
７        ラップ部材
８        模型頭部
１０ａ    模型腕部
１０ｂ    模型腕部
１２      模型脚部
【図１】
0003156461.tif 000003
【図２】
0003156461.tif 000004
【図３】
0003156461.tif 000005
【図４】
0003156461.tif 000006
【図５】
0003156461.tif 000007
【図６】
0003156461.tif 000008
【図７】
0003156461.tif 000009
【図８】
0003156461.tif 000010
【図９】
0003156461.tif 000011